【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
ポータブルデバイスまたはバッテリの誘導電力供給および誘導充電のシステムであって、
平坦または曲線状の表面を有し、平坦または曲線状のコイルとして成形された１つまたは複数の一次コイルを含むベースユニットであって、前記一次コイルは、１つまたは複数のデバイスまたはバッテリに同時に電力を与えるか充電する際に使用される誘導場を生成することができる、ベースユニットであって、電流が前記一次コイルを通過するとき、前記ベースユニットの前記表面に対して実質上垂直な方向に磁界が生成されるように、前記一次コイルのそれぞれは、前記ベースユニット内に配置されている、ベースユニットと、
平坦および／または曲線状のコイルとして成形されたレシーバコイルであって、前記レシーバコイルは、ポータブルデバイス、スキン、ケース、バッテリドアおよび／またはバッテリに結合されるかこれに組み込まれ、前記レシーバコイルは、前記一次コイルから誘導で電力を受け取り、これを、前記ポータブルデバイスまたはバッテリを充電するかこれに電力を与えるのに使用する、レシーバコイルと、
前記１つまたは複数の一次コイルの適当な数を選択的にアクティブ化する、前記ベースユニット内のコンポーネントと、を含み、
前記ベースユニットは、レシーバコイルを有する１つ以上のポータブルデバイスまたはバッテリを同時に充電するかこれに電力を与えることができ、
前記ベースユニットの前記表面の上または近くに置かれた前記ポータブルデバイス、スキン、ケース、バッテリドアおよび／またはバッテリの存在を検証すること、および／または、
前記複数の一次コイルから選択すること、および前記ポータブルデバイス、スキン、ケース、バッテリドアおよび／またはバッテリでレシーバコイルと略一直線上のそれらの一次コイルをアクティブ化すること、および／または、
前記ポータブルデバイス、スキン、ケース、バッテリドアおよび／またはバッテリに最適な電力伝送を供給するために連続的または周期的に情報を交換すること、を含む、システム。
【請求項２】
誘導で電力を与えるか充電することのできるモバイルデバイスであって、
前記デバイスに誘導で電力を与えることまたは前記モバイルデバイス内の前記バッテリを充電することのうちの１つのためのレシーバコイルであって、前記モバイルデバイスの外側または内側に組み込まれること、前記バッテリまたは前記モバイルデバイスをカバーするスキンまたはケースまたはそのバッテリドアに貼り付けられることまたは組み込まれることのうちの１つであり、ベースユニットの近くの一次コイルから誘導電力を受け、前記ポータブルデバイスまたはバッテリを充電または電力供給するのにそれを使用する、レシーバコイルと、
前記モバイルデバイスおよび／またはバッテリの電圧、電流、または他の電力パラメータの１つ以上の値の範囲内になるように前記ベースユニットから前記モバイルデバイスおよび／またはバッテリへ供給される１つ以上の出力電圧、電流、または電力を制御するレギュレータと、を含むモバイルデバイス。
【請求項３】
モバイルデバイスまたはバッテリを誘導で充電するかこれに電力を与える、１つ以上のモバイルデバイス、モバイルデバイスのスキンまたはケースまたはバッテリドアまたはバッテリと共に使用されるシステムであって、
その中に１つまたは複数の一次コイルを含むベースユニットであって、前記一次コイルは、電流が前記一次コイルを通過するときに磁場が前記一次コイルの平面に実質的に垂直な方向で生成されるようにするために全般的に平坦な形状を有する、ベースユニット
を含み、前記垂直な磁場は、１つ以上のモバイルデバイスまたはバッテリを充電するかこれに電力を与えるために、前記ベースユニットの近くに置かれた前記モバイルデバイス、スキン、ケース、バッテリドアおよび／またはバッテリ内の１つまたは複数の一致するレシーバコイル内に誘導で電流を生成し、
前記ベースユニットは、
前記ベースユニットの前記表面の上または近くに置かれた前記モバイルデバイス、スキン、ケース、バッテリドアおよび／またはバッテリの存在を検証し、および／または、
前記モバイルデバイス、スキン、ケース、バッテリドアおよび／またはバッテリでレシーバコイルと略一直線上のそれらの一次コイルを選択してアクティブ化し、および／または、
前記ポータブルデバイス、スキン、ケース、バッテリドアおよび／またはバッテリに最適な電力伝送を供給するために、および／または前記レシーバの存在を検証するために、連続的または周期的に情報を交換する、
システム。
【請求項４】
前記ベースユニットに結合され、これに電力を与えるバッテリをさらに含み、前記バッテリは、ある時間期間の間に誘導充電器または電源デバイスに電力を与えるのに十分な前記ベースユニット内の電荷を維持するために外部電源によって時々充電され得る、請求項１〜３のいずれか１項に記載のシステム。
【請求項５】
前記ベースユニットはパッドの形態であり、
前記ベースユニット内のバッテリを充電する、前記ベースユニット内の前記バッテリに結合された太陽電池、前記モバイルデバイスとの間でのデータの後続伝送のためにデータをストレージするデータストレージコンポーネント、および／または装飾的表面もしくはノンスリップ表面を含むベースユニットまたはパッドのカバー表面のうちの１つをさらに含む、請求項１〜３のいずれか１項に記載のシステム。
【請求項６】
１つ以上の一次コイルを有する複数のモジュラ充電器または電源を、単一のベースユニットを効果的に形成するために相互接続することができる、請求項１〜３のいずれか１項に記載のシステム。
【請求項７】
充電されるか電力を与えられる前記モバイルデバイスまたはスキンまたはケースまたはバッテリドアまたはバッテリは、ツェナーダイオードまたは電圧制限回路を有する充電回路を含み、前記ツェナーダイオードまたは前記電圧制限回路は、前記モバイルデバイスまたはバッテリへの電圧を所定の最大電圧までに制限する、請求項１〜３のいずれか１項に記載のシステム。
【請求項８】
異なる負荷条件または充電ステージ中に高い効率を維持するために、異なる負荷条件の下で前記コイルへの電力を調整し、かつ／または制御するスイッチ手段を含む、電力充電および／または電力供給の制御レギュレーションおよび／または検証を提供する、前記ベースユニット内の手段をさらに含み、および／または、
出力電力の前記制御は、前記動作の周波数を変更することによって達成され、および／または、
前記スイッチ手段は、ゼロ電圧交差またはゼロ電流交差スイッチジオメトリである、請求項１〜３のいずれか１項に記載のシステム。
【請求項９】
前記ベースユニットおよび／または前記ポータブルデバイス、スキン、ケース、バッテリドアおよび／またはバッテリは、マイクロコントローラユニットを含み、前記ベースユニット内の前記マイクロコントローラユニットは、電流を監視し、前記ポータブルデバイス、スキン、ケース、バッテリドアおよび／またはバッテリ内の前記マイクロコントローラユニットは、前記レシーバの電圧および／または電流を監視し、および／または充電を制御する際に使用するための前記ベースユニットと前記レシーバとの間の通信を提供する、請求項１〜３のいずれか１項に記載のシステム。
【請求項１０】
前記ベースユニットおよび／または電源は、前記ポータブルデバイス、スキン、ケース、バッテリドアおよび／またはバッテリのアイデンティティまたは許可を検証するために、または、前記ベースユニットの近くの前記モバイルデバイスの存在、充電または電力必要性についての情報を含むデータを伝送するためにお互いに通信するために、充電をアクティブ化する前の追加の検証ステップを含む、請求項１〜３のいずれか１項に記載のシステム。
【請求項１１】
前記ベースユニット内の前記複数のコイルのそれぞれは、各コイルに電力を供給し、１つまたは複数のコイルを選択的にアクティブ化するために個々の駆動回路および／またはスイッチによって駆動され、
マイクロコントローラユニットが周期的に前記スイッチを始動し、それの前記電流および／または電圧を監視し、レシーバおよびポータブルデバイス、スキン、ケース、バッテリドアおよび／またはバッテリのそのコイルへの近接を感知するのにそれを使用し、そのコイルの充電またはその領域内のコイルの選択をアクティブ化する、請求項１〜３のいずれか１項に記載のシステム。
【請求項１２】
一次コイルの複数の層は、有効面積を作成するため、および前記コイルのうちのいずれか１つまたは選択物への電力供給が、その中心が前記有効面積内にあるレシーバコイルを充電することを可能にするようにするために、前記バースユニット内で互いの上に積層される、請求項１〜３のいずれか１項に記載のシステム。
【請求項１３】
１つ以上の前記ベースユニット、モバイルデバイス、バッテリ、ケース、バッテリカバー、シェルまたは前記モバイルデバイスをカバーするスキンのそれぞれは、前記ベースユニット内の前記レシーバコイルおよび前記一次コイルを整列させるために、引力を及ぼす１つ以上の磁石または磁気感受性材料を有し、および／または、
前記１つ以上の磁石は、前記コイルの中心がフラットディスク状であり、リングまたはアーク磁石は１つ以上のカットまたはブレークを含み、および／またはユーザが位置合わせを容易に行えるように前記コイルの外部端に置かれている、請求項１〜３のいずれか１項に記載のシステム。
【請求項１４】
電磁シールドおよび／または熱放散の手段を提供するために、前記一次コイルおよび／またはレシーバコイルの近くに追加の層を含む、請求項１〜３のいずれか１項に記載のシステム。
【請求項１５】
前記ベースユニットは、前記ベースユニットのＵＳＢコネクタを介して他の電子デバイスによって電力を与えられる、請求項１〜３のいずれか１項に記載のシステム。
【請求項１６】
１つ以上の前記一次コイルは、前記ベースユニット内で移動可能であり、レシーバが前記ベースユニットに置かれているとき、前記ベースユニットは前記レシーバコイルの位置を感知し、電力伝送を最適化するために前記レシーバコイルを正しい位置に移動させる、請求項１〜３のいずれか１項に記載のシステム。